(57)【要約】【課題】レンズ構成枚数が５枚と少なく、Ｆナンバ：２．７〜３程度、半画角２３度〜２７度程度、歪曲収差±３％程度で、３μｍ以下程度の微細な画素ピッチを持つ撮像素子に好適に使用できる明るく広画角で高性能であり小型軽量な撮影レンズを実現する。【解決手段】被写体側から順に、第１ないし第５レンズを配し、第１レンズＬ１は被写体側に凹面を向けたメニスカスレンズ、第２レンズＬ２は正レンズ、第３レンズＬ３は負レンズ、第４レンズＬ４は被写体側に凹面を向けた正メニスカスレンズであり、全系の焦点距離：ｆ（＞０）、第２レンズと第３レンズの合成焦点距離：ｆ23が、条件式：（１）−０．３≦ｆ／ｆ23≦０．０  を満足する撮影レンズである。【選択図】図１
2008281760.tif 000002
【特許請求の範囲】
【請求項１】
被写体側から順に、第１ないし第５レンズを配し、
第１レンズは被写体側に凹面を向けたメニスカスレンズ、第２レンズは正レンズ、第３レンズは負レンズ、第４レンズは被写体側に凹面を向けた正メニスカスレンズであり、
全系の焦点距離：ｆ（＞０）、第２レンズと第３レンズの合成焦点距離：ｆ23が、条件式：
（１）    −０．３  ≦  ｆ／ｆ23  ≦  ０．０  
を満足することを特徴とする撮影レンズ。
【請求項２】
請求項１記載の撮影レンズにおいて、
第２レンズと第３レンズが接合されていることを特徴とする撮影レンズ。
【請求項３】
請求項１または２記載の撮影レンズにおいて、
全系の焦点距離：ｆ（＞０）、第４レンズの焦点距離：ｆ４が、条件式：  
（２）    ０．９  ≦  ｆ／ｆ4  ≦  １．１  
を満足することを特徴とする撮影レンズ。  
【請求項４】
請求項１〜３の任意の１に記載の撮影レンズにおいて、
第２レンズのアッベ数：ν２が、条件式：
（３）  ９５  ≧  ν２  ≧  ４０  
を満足することを特徴とする撮影レンズ。  
【請求項５】
請求項１〜４の任意の１に記載の撮影レンズにおいて、
第３レンズのアッベ数：ν３が、条件式：
（４）  ４５  ≧  ν３  ≧  ２３  
を満足することを特徴とする撮影レンズ。
【請求項６】
請求項１〜５の任意の１に記載の撮影レンズにおいて、
第２レンズ、第３レンズ、第４レンズが何れも球面レンズであることを特徴とする撮影レンズ。
【請求項７】
請求項１〜６の任意の１に記載の撮影レンズにおいて、
第１レンズと第５レンズがプラスチック材料により形成されていることを特徴とする撮影レンズ。
【請求項８】
請求項１〜７の任意の１に記載の撮影レンズにおいて、
全系の焦点距離：ｆ、最も被写体側のレンズ面から像面までの光軸上の距離：ＯＡＬ、最大像高：Ｙが、条件式：
（５）    ３  ≧  ＯＡＬ／ｆ  ≧  ２  
（６）    ５．５  ≧  ＯＡＬ／Ｙ  ≧  ４．５  
を満足することを特徴とする撮影レンズ。
【請求項９】
請求項１ないし請求項８の任意の１に記載の撮影レンズを搭載した撮影装置。
【発明の詳細な説明】
【技術分野】
【０００１】
この発明は、撮影レンズおよび撮影装置に関する。この発明の撮影レンズは、ＣＣＤやＣＭＯＳ等の撮像素子と組み合わせ、インターネットを使用したビデオ会議システムやデジタルカメラ、携帯情報端末装置等において撮影に好適に用いることができる。
【背景技術】
【０００２】
ＣＣＤ、ＣＭＯＳ等の撮像素子の小型化に伴い、デジタルカメラはもとより、コンピュータ、携帯電話に「撮影レンズと撮像素子」を搭載して撮影機能を持たせることが一般的となりつつある。撮影レンズが搭載される上記機器は、持ち運んで使用されるものも多いため、撮影レンズ自体も小型・軽量であることが好ましい。このような撮像素子として従来から５枚レンズ構成のものが知られている(特許文献１、２)。
【０００３】
近来、撮像素子の画素ピッチの微細化により多画素数化が進み、画質の向上が図られてきている。このような「画素ピッチの微細化した撮像素子」では単位画素当たりの受光量が小さくなるため、このような撮像素子と組合せられる撮影レンズは「Ｆナンバの小さい明るいレンズ」であることが必要である。また、撮像素子に結像する光束は撮像素子の受光面に対して直交するのがよく、このため、撮像素子と組合せられる撮影レンズには一般に良好なテレセントリック性が要求される。
【０００４】
撮像素子の出力をデジタル信号化すると、デジタル信号に手を加えて「撮影画像の一部を拡大」して、望遠レンズで撮影した画像のような効果を与えることも簡単にできるので、撮像素子自体が撮像する「加工前の撮影画像」は、広い範囲を撮影した画像の方が望ましい。そのため、撮影レンズとしては「焦点距離が短く、広い画角をカバーできるレンズである」ことが望まれる。  
上記テレセントリック性については、近年のＣＣＤやＣＭＯＳ等には「受光面の中心部からの距離に応じて、「単位画素とそれに対応するマイクロレンズ」のオフセット量が徐々に変化していくタイプのものが使用されるものが多く、このような撮像素子に組合せられる撮影レンズは「厳密にテレセントリック」である必要はなく、最周辺において主光線が光軸となす角度は１０度前後までは許容されることが多い。
【０００５】
【特許文献１】国際公開Ｗ０２００４−１０７００９
【特許文献２】特開２００４−  ６９７７８
【発明の開示】
【発明が解決しようとする課題】
【０００６】
この発明は上述した事情に鑑みてなされたものであって、レンズ構成枚数が５枚と少なく、Ｆナンバ：２．７〜３程度、半画角：２３度〜２７度程度、歪曲収差：±３％程度で、３μｍ以下程度の微細な画素ピッチを持つ撮像素子に好適に使用でき、明るく広画角で高性能であり小型軽量な撮影レンズを実現することを課題とする。また、かかる撮影レンズを搭載した撮影装置の実現を課題とする。
【課題を解決するための手段】
【０００７】
この発明の撮影レンズは、図１に例示するように、被写体側(図の左方)から順に、第１レンズＬ１ないし第５レンズＬ５を配し、第１レンズＬ１は被写体側に凹面を向けたメニスカスレンズ、第２レンズＬ２は正レンズ、第３レンズＬ３は負レンズ、第４レンズＬ４は被写体側に凹面を向けた正メニスカスレンズであり、全系の焦点距離：ｆ（＞０）、第２レンズと第３レンズの合成焦点距離：ｆ23が、条件式：
（１）    −０．３  ≦  ｆ／ｆ23  ≦  ０．０  
を満足することを特徴とする(請求項１)。  
第５レンズＬ５は「第１レンズＬ１〜第４レンズＬ４で発生した収差を補正する機能」を有し、具体的な補正機能に応じて正レンズとなることも負レンズとなることもあり、形状もメニスカス形状や他の形状が可能である。
【０００８】
なお、第１レンズＬ１と第２レンズＬ２の間における「第２レンズＬ２の近傍」に開口絞りが配置され、第２レンズＬ２に入射する軸外光束の光線高さを規制している。
【０００９】
請求項１記載の撮影レンズにおける第２レンズと第３レンズは「接合されている」ことができる(請求項２)。請求項１または２記載の撮影レンズは、全系の焦点距離：ｆ（＞０）、第４レンズの焦点距離：ｆ４が、条件式：  
（２）    ０．９  ≦  ｆ／ｆ4  ≦  １．１  
を満足することが好ましい(請求項３)。
【００１０】
また、請求項１〜３の任意の１に記載の撮影レンズは、第２レンズのアッベ数：ν２が、条件式：
（３）  ９５  ≧  ν２  ≧  ４０  
を満足することが好ましく(請求項４)、請求項１〜４の任意の１に記載の撮影レンズは、第３レンズのアッベ数：ν３が、条件式：
（４）  ４５  ≧  ν３  ≧  ２３  
を満足することが好ましい(請求項５)。
【００１１】
請求項１〜５の任意の１に記載の撮影レンズは、第２レンズ、第３レンズ、第４レンズを「何れも球面レンズとして構成する」ことができる(請求項６)。この場合、第１レンズおよび第５レンズを「非球面レンズ」とすることができる。  
また、請求項１〜６の任意の１に記載の撮影レンズは、第１レンズと第５レンズをプラスチック材料により形成することができる(請求項７)。請求項６記載の撮影レンズでは、第２〜第４レンズが球面レンズであり、この場合、第１、第５レンズは上記の如く非球面レンズとすることが可能であるが、このような場合、第１、第５レンズをプラスチックレンズとすることによりそのレンズ面を容易に非球面化することができる。
【００１２】
請求項１〜７の任意の１に記載の撮影レンズは、全系の焦点距離：ｆ、最も被写体側のレンズ面（第１レンズの被写体側の凹面）から像面までの光軸上の距離：ＯＡＬ、最大像高：Ｙが、条件式：
（５）    ３  ≧  ＯＡＬ／ｆ  ≧  ２  
（６）    ５．５  ≧  ＯＡＬ／Ｙ  ≧  ４．５  
を満足することが好ましい。
【００１３】
この発明の撮影装置は、請求項１ないし請求項８の任意の１に記載の撮影レンズを搭載した撮影装置であり、具体的には、前述の、ＣＣＤやＣＭＯＳ等の撮像素子と組み合わせ、インターネットを使用したビデオ会議システムに用いられる撮影装置や、デジタルカメラ、携帯情報端末装置、各種のコンピュータ、特にモバイルコンピュータ等の撮影機能部として実現する事ができる。
【００１４】
説明を補足すると、前述の如く「単位画素とこれに対応するマイクロレンズのオフセット量が、受光面の中心からの距離に応じて徐々に変化する、近年のＣＣＤやＣＭＯＳ等の撮像素子」を用いる場合、これと組合せられる撮影レンズの像側は、厳密にテレセントリックである必要はなく、最周辺において主光線が光軸となす角度は１０度前後まで許容されることが多い。
【００１５】
しかし、このような場合であっても、非テレセントリック系の撮影レンズに比べた場合「主光線を光軸と平行に近づく方向に曲げる作用」はやはり必要である。
【００１６】
この発明は、第１レンズとして「被写体側に凹面を向けたメニスカスレンズ」を用いることにより、大きな画角の光線の「光軸に対する角度」を無理なく減少させて第２レンズへ受け渡し、負レンズである第３レンズにより「軸外の主光線を跳ね上げ」て高い位置で第４レンズに入射させる。
【００１７】
正レンズである第４レンズは上述の「主光線を光軸と平行に近づく方向に曲げる作用」を担っており、第５レンズは、第４レンズで発生する収差を補正する機能を与えられている。
【００１８】
第２レンズを正レンズ、第３レンズを負レンズとして組合せることにより、諸収差、特に色収差を良好に補正している。  
第２レンズと第３レンズは、他のレンズにおける収差の出方によって、相互に独立とすることも接合することもあるが、第２、第３レンズを接合すると「組み立て時の相互の偏芯」を抑制でき、安定した性能を得やすい。また、第２レンズ、第３レンズは、その合成屈折力が「０または負（条件式（１）において、全系の焦点距離：ｆは正であるから、条件（１）が満足されることは第２、第３レンズの合成屈折力が０または負であることを意味する。）」であることにより、第４レンズに入射する軸外光線を跳ね上げ、高い位置で第４レンズに光線を入射させることで、主光線を光軸方向に、大きな収差を出さずに無理なく曲げることができている。
【００１９】
条件式（１）は、第２レンズ、第３レンズによる光線の跳ね上げと像面湾曲などの収差のバランスをとるための条件であり、上限値：０（第２、第３レンズの合成焦点距離が無限大となる場合で、第２、第３レンズが合成屈折力を持たない状態である。）を超えると「光線の跳ね上げ」が不足し、その状態で軸外主光線を光軸方向に曲げなければならなくなるため、第４レンズの「被写体側の凹面」による屈折力を大きくせねばならず、大きな収差の発生を招いてしまう。また、下限値：−０．３を超えると光線の跳ね上げと同時に「補正過剰な像面湾曲」が発生し、他のレンズでの補正が困難となる。
【００２０】
条件式（２）は、許容範囲内のテレセントリック性を確保しつつ、平坦な像面を実現するための条件であり、上限値：１．１を超えると第４レンズの屈折力が大きくなって像面がレンズ寄りに倒れ、他の群での補正が困難となり、条件の下限：０．９を超えると、第４レンズの正の屈折力が小さくなり「周辺部の主光線が光軸に対してなす角」が大きくなって「許容範囲内でのテレセントリック性の確保」が困難となる。
【００２１】
条件式（３）は色収差補正の条件であり、現存するガラスの「アッベ数の限界」により上限値：９５を超えることはできず、また、下限値：４０を超えた状態で色収差補正を行うと、この材質が用いられる第２レンズにおける「第３レンズ側の面の曲率半径」が小さくなり、第２レンズが「加工困難な形状」となる。
【００２２】
条件式（４）も色収差補正のためのものであり、現存するガラスの限界により下限値：２３を超えることはなく、また、上限値：４５を超えた状態で色収差補正を行うと、この材質が用いられる第３レンズにおける「第２レンズ側の面の曲率半径」が小さくなり、第３レンズが「加工困難な形状」となる。
【００２３】
条件式（５）、（６）は何れも、小型・広角化を実現しつつ「適切なレンズ全長で良好な性能」を達成するための条件であり、条件式（５）は、最も被写体側のレンズ面（第１レンズの被写体側の凹面）から像面までの光軸上の距離：ＯＡＬが「全系の焦点距離の２〜３倍」であること、即ち「全長が長すぎない」ことを意味し、条件（６）は、上記距離：ＯＡＬが最大像高の４．５〜５．５倍であること、即ち広画角であることを意味する。
【００２４】
条件式（５）、（６）の下限値を超えると「画角に比して全長が短すぎ」て充分な収差補正ができず、良好な画像を得にくくなる。また、条件式（５）、（６）の上限を超えると、結像性能的には余裕のあるものとなるが「長く、太いレンズ」となり、小型・軽量化が困難である。
【００２５】
さらに、第１レンズは「被写体側が凹面、像側が凸面」であるメニスカス形状であるため、ペッツバール和の低減に役立つ形となっている。
【００２６】
少ないレンズ枚数で高い結像性能を得るのに「非球面レンズ」の使用が有効であることは当然であり、採用する非球面の面数が多ければ、それだけ性能も向上させることができる。例えば、特許文献１記載の撮影レンズは「５枚のレンズ中３枚までが非球面レンズ」となっている。非球面レンズを多用したレンズは「個々のレンズの軸ずれや傾き」といった製造誤差に対する感度が、球面レンズを多数とした構成のものに比べて非常に高い。
【００２７】
従って、設計通りの良好な性能を実現するためには「個々のレンズの軸ずれや傾き」といった製造誤差を極めて小さくする必要があり、製造コストが高く、実際に製造されたものは満足のいく性能が得られにくいという傾向がある。
【００２８】
請求項６記載の撮影レンズでは、第２〜第４レンズを何れも球面レンズとしている。第２〜第４レンズは、第１、第５レンズに比してレンズ系が小さいため、組み付けに際して偏心が発生しやすいが、これら第２〜第４レンズを何れも球面レンズとすることにより、偏芯による性能劣化を最低限に抑えることができる。また、第１、第５レンズは、これらをプラスチックレンズとし、成型により容易に非球面を形成できる。
【発明の効果】
【００２９】
以上に説明したように、この発明によれば新規な撮影レンズおよび撮影装置を実現できる。この発明の撮影レンズは、後述する具体的な実施例に示すように、Ｆナンバ：２．７〜３程度と明るく、半画角：２３度〜２７度程度と広画角で、歪曲収差：±３％程度と高性能であり、３μｍ以下程度の微細な画素ピッチを持つ撮像素子に好適に使用でき、小型軽量である。  
従って、この撮影レンズを搭載した撮影装置は性能良好で小型軽量である。
【発明を実施するための最良の形態】
【００３０】
以下、実施の形態を説明する。  
図１に実施の形態を示す撮影レンズは、被写体側（図の左方）から順に、第１ないし第５レンズを配し、第１レンズＬ１は被写体側に凹面を向けたメニスカスレンズ、第２レンズＬ２は正レンズ、第３レンズＬ３は負レンズ、第４レンズＬ４は被写体側に凹面を向けた正メニスカスレンズである。第１レンズＬ１と第２レンズＬ２との間の、第２レンズＬ２の近傍に開口絞りが配置されている。  
また、第２レンズＬ２と第３レンズＬ３とは接合されている。なお、符号ＣＧは撮像素子のカバーガラスを示し、像面は撮像素子の受光面（受光素子の配列面）である。
【００３１】
図１の実施の形態は後述する実施例１のレンズ構成であり、実施例１に示すように、条件式（１）〜（６）を満足する。また、第２レンズＬ２、第３レンズＬ３、第４レンズＬ４は何れもガラスによる球面レンズであり、第１レンズＬ１、第５レンズＬ５はプラスチックレンズで何れも両面が非球面である。
【００３２】
図４に実施の形態を示す撮影レンズは、被写体側（図の左方）から順に、第１ないし第５レンズを配し、第１レンズＬ１は被写体側に凹面を向けたメニスカスレンズ、第２レンズＬ２は正レンズ、第３レンズＬ３は負レンズ、第４レンズＬ４は被写体側に凹面を向けた正メニスカスレンズである。第１レンズＬ１と第２レンズＬ２との間の、第２レンズＬ２の近傍に開口絞りが配置されている。  
また、第２レンズＬ２と第３レンズＬ３とは接合されている。
【００３３】
図４に示す実施の形態は、後述する実施例２のレンズ構成であり、実施例２に示すように、条件式（１）〜（６）を満足する。また、第２レンズＬ２、第３レンズＬ３、第４レンズＬ４は何れもガラスによる球面レンズであり、第１レンズＬ１、第５レンズＬ５はプラスチックレンズで何れも両面が非球面である。
【００３４】
図７に実施の形態を示す撮影レンズは、被写体側（図の左方）から順に、第１ないし第５レンズを配し、第１レンズＬ１は被写体側に凹面を向けたメニスカスレンズ、第２レンズＬ２は正レンズ、第３レンズＬ３は負レンズ、第４レンズＬ４は被写体側に凹面を向けた正メニスカスレンズである。第１レンズＬ１と第２レンズＬ２との間の、第２レンズＬ２の近傍に開口絞りが配置されている。  
また、第２レンズＬ２と第３レンズＬ３とは互いに独立である。
【００３５】
図７の実施の形態は後述する実施例３のレンズ構成であり、実施例３に示すように、条件式（１）〜（６）を満足する。また、第２レンズＬ２、第３レンズＬ３、第４レンズＬ４は何れもガラスによる球面レンズであり、第１レンズＬ１、第５レンズＬ５はプラスチックレンズで何れも両面が非球面である。
【００３６】
図１０に実施の形態を示す撮影レンズは、被写体側（図の左方）から順に、第１ないし第５レンズを配し、第１レンズＬ１は被写体側に凹面を向けたメニスカスレンズ、第２レンズＬ２は正レンズ、第３レンズＬ３は負レンズ、第４レンズＬ４は被写体側に凹面を向けた正メニスカスレンズである。第１レンズＬ１と第２レンズＬ２との間の、第２レンズＬ２の近傍に開口絞りが配置されている。  
また、第２レンズＬ２と第３レンズＬ３とは接合されている。
【００３７】
図１０の実施の形態は後述する実施例４のレンズ構成であり、実施例４に示すように、条件式（１）〜（６）を満足する。また、第２レンズＬ２、第３レンズＬ３、第４レンズＬ４は何れもガラスによる球面レンズであり、第１レンズＬ１、第５レンズＬ５はプラスチックレンズで何れも両面が非球面である。
【００３８】
図１３に、デジタルカメラとして実施される撮影装置の実施の１形態のシステムズを示す。図１３において、デジタルカメラ１０は、撮影レンズ１１と撮像素子１２（ＣＣＤやＣＭＯＳ等のエリアセンサ）を有し、撮影レンズ１１による「被写体の像」を撮像素子１２の受光面上に結像させて読み取るように構成されている。
【００３９】
撮影レンズ１１としては請求項１〜８の任意の１に記載されたズームレンズ、具体的には、例えば後述の実施例１〜４のうちの何れかが用いられる。
【００４０】
図１３に示すように、撮像素子１２からの出力はマイクロコンピュータ等である制御部１４の制御を受ける画像処理部１３においてデジタル情報に変換され、所定の画像処理を受けた後、半導体メモリ１６に記録される。液晶モニタ１５には「撮影中の画像」を表示することもできるし、「半導体メモリ１６に記録されている画像」を表示することもできる。また、半導体メモリ１６に記録した画像は「図示されない送信部」を使用して外部へ送信することも可能である。
【実施例】
【００４１】
以下、具体的な実施例を４例挙げる。  
実施例における記号の意味するところは以下の通りである。  
ｆ：全系の焦点距離
Ｆ：Ｆナンバ  
Ｗ：半画角（単位：度）  
ｉ  ：拡大側から数えて第ｉ番目のレンズ面  
IMG ：撮像素子面（像面）  
Ｒｉ：大きな共役側から数えて第ｉ番目の面（絞りの面を含む）の曲率半径  
Ｄｉ：大きな共役側から数えて第ｉ番目の面（絞りの面を含む）から第ｉ＋１番目の面までの軸上面間隔  
Ｄｏ：被写体から第１レンズの大きな共役側の面までの距離  
ｊ ：大きな共役側から数えて第ｊ番目のレンズ  
Ｎj：大きな共役側から数えて第ｊ番目のレンズのｄ線に対する屈折率  
νｊ：大きな共役側から数えて第ｊ番目のレンズのアッべ数          。
【００４２】
また、非球面形状は以下の表示形式による。  
Ｚ＝（１／Ｒｉ）・ｈ2／［１＋√｛１−（Ｋ＋１）・（１／Ｒｉ）2・ｈ2｝］
＋Ａ・ｈ4＋Ｂ・ｈ6＋Ｃ・ｈ8＋Ｄ・ｈ10＋Ｅ・ｈ12＋Ｆ・ｈ14 
ここに、Ｚ：光軸方向の座標、ｈ：光軸直交方向の座標、Ｒｉ：軸上曲率半径、Ｋ：円錐定数、Ａ、Ｂ、Ｃ、Ｄ、Ｅ、Ｆ：４次以降の非球面係数であり、これらの値を与えて非球面形状を特定する。  
計算基準波長は「５４６．０７ｎｍ（ｅ線）」である。  
「実施例１」  
図１に実施例１の撮影レンズのレンズ構成を示す。  
ｆ＝６．８１、Ｆ＝２．７  、Ｗ＝２７．２  
i          R            Ｄ        j        Ｎ             ν
O          ∞         1000.000
1 (*)    -5.722          3.999     1      1.53046          55.8      
2 (*)    -4.492          1.313
3(絞り)   ∞             0.214
4         5.809          3.499     2      1.83481          42.7  
5        -5.638          0.856     3      1.78472          25.7  
6         3.434          0.823
7       -14.820          3.017     4      1.77250          49.6  
8        -4.057          0.201
9(*)     23.866          2.000     5      1.53046          55.8  
10(*)     19.892          1.232 
11          ∞            0.400            1.51680          64.2  
12          ∞            0.200
IMG          ∞            0.0                        。
【００４３】
「非球面」
非球面には「＊」印を付してある。以下の実施例でも同様である。
【００４４】
「第１面」  
K  =  -0.815224 ，  
A =-0.524785E-03 , B =-0.101696E-03 , C =0.885355E-05 ，
D =-0.704488E-06 , E =0 , F=0   
「第２面」  
K = -0.886750 ,
A =0.546968E-03 , B =-0.153918E-03 , C = 0.198308E-04 ,
D = -0.128064E-05 , E=0 , F=0   
「第９面」  
K = -200.000 ,
A =-0.633411E-02 , B =0.450059E-03 , C =-0.130646E-03 ,
D =0.956077E-05 , E=0 , F=0   
「第１０面」
K =   26.889012 ,
A =-0.940994E-02 , B = 0.376357E-03 , C =-0.495444E-04 ,
D =0.280611E-06 . E =0.301978E-06 , F =-0.118144E-07   
非球面の定数の表記において、例えば「-0.118144E-07」は「-0.118144×10-7」を意味する。以下の実施例においても同様である。
【００４５】
「条件式のパラメータの値」  
（１）    ０．０  
（２）    １．０６２  
（３）  ４２．７  
（４）  ２５．７  
（５）    ２．６０８  
（６）    ５．０７４  
最大像高に至る光束の主光線が光軸となす角度：５．０度  
即ち、実施例１の撮影レンズは±５度が「テレセントリック性の許容範囲」である。
【００４６】
実施例１に関する縦収差図を図２に、横収差図を図３に示す。  
各収差図において「ｅ」は波長：５４６．０７ｎｍでの収差、「ｃ」は波長６５６．２７ｎｍでの収差、「ｇ」は波長４３５．８３ｎｍでの収差を表し、「Ｓ」は波長５４６．０７ｎｍでのサジタル像面、「Ｔ」は波長５４６．０７ｎｍでのタンジェンシャル像面を表す。以下の実施例における収差図においても同様である。
【００４７】
「実施例２」  
図４に実施例２の撮影レンズのレンズ構成を示す。  
ｆ＝６．８３、Ｆ＝２．７  、Ｗ＝２７．０        
ｉ        R            Ｄ        j        Ｎ            ν  
O        ∞          500.000  
1 (*)  -6.726          4.000     1       1.53046        55.8   
2 (*)  -3.843          0.887  
3（絞り）  ∞          0.200  
4       6.468          3.173     2       1.80420        46.5  
5      -6.468          0.800     3       1.78472        25.7  
6       3.525          0.864   
7      -9.895          2.872     4       1.80420        46.5   
8      -4.144          0.352   
9(*)   19.362          2.000     5       1.53046        55.8   
10(*)  68.174          0.700  
11      ∞             1.0               1.51680        64.2  
12      ∞             0.2  
IMG     ∞             0.0                                  。
【００４８】
「非球面」  
「第１面」
K =   1.429356 ，
A =-0.164638E-02 , B =-0.202055E-03 , C =0.310992E-04 ,
D =-0.140807E-05 , E =-0.934539E-06 , F =0.103484E-06  
「第２面」
K =  -0.779868 , 
A =0.141972E-03 , B =-0.106862E-03 , C =0.109610E-04 ,
D =-0.365838E-06 , E=0 , F=0  
「第９面」
K = -200.000,  
A =-0.354332E-03 , B =-0.765842E-04 , C =-0.407791E-04 ,
D =0.915362E-05 , E =-0.415644E-06 , F =0.433658E-08   
「第１０面」
K = 411.915081 ,
A =-0.401445E-03 , B =-0.275779E-03 , C =0.111105E-04 ,
D =-0.102464E-06 , E =-0.644123E-07 , F =0.111196E-07          。
【００４９】
「条件式のパラメータの値」  
（１）  ―０．２４４  
（２）    ０．９４７  
（３）  ４６．５  
（４）  ２５．７  
（５）    ２．４９６  
（６）    ４．８７１  
最大像高に至る光束の主光線が光軸となす角度：１１．０度
実施例２の撮影レンズは±１１度が「テレセントリック性の許容範囲」である。  
実施例２に関する縦収差図を図５に、横収差図を図６に示す。
【００５０】
「実施例３」
図７に実施例３の撮影レンズのレンズ構成を示す。
【００５１】
ｆ＝６．８２、Ｆ＝２．７  、Ｗ＝２７．０  
ｉ        R             Ｄ        j         Ｎ          ν  
O         ∞          500.000
1(*)     -6.232         3.731      1       1.53046      55.8  
2(*)     -4.619         0.200  
3(絞り)    ∞           0.200  
4         5.431         3.355      2       1.79878      44.7   
5        -7.748         0.200  
6        -6.005         0.800      3       1.81099      24.0  
7         3.898         0.825  
8       -10.784         2.886      4       1.78169      47.0      
9        -3.977         0.255  
10(*)     12.961         2.000      5       1.53046      55.8 
11(*)     14.278         0.757  
12         ∞            1.0                1.51680      64.2 
13         ∞            0.200  
IMG        ∞                                            。
【００５２】
「非球面」
「第１面」
K = 0.258720 ,
A =-0.569711E-03 , B = -0.176569E-03 , C = 0.379910E-04 ,
D =-0.157650E-05 , E =-0.112439E-05 , F =  0.131450E-06  
「第２面」 
K =  -0.756296 , 
A =0.140748E-03 , B =-0.104594E-03 , C =0.214138E-04 ,
D = -0.186230E-05 , E=0 , F=0  
「第１０面」
K =-31.096220 , 
A =-0.417227E-02 , B =-0.133271E-04 , C = -0.552543E-04 ,
D = 0.643993E-05 , E =-0.475815E-06 , F = 0.261793E-07  
「第１１面」
K =-38.779602 , 
A =-0.371422E-02 , B =-0.365384E-03 , C =0.686191E-05 ,
D =0.774446E-06 , E =-0.102140E-07 , F = -0.324606E-09                。
【００５３】
「条件式のパラメータの値」
（１）  −０．００４  
（２）    １．０１０  
（３）  ４４．７  
（４）  ２４．０  
（５）    ２．４０４  
（６）    ４．６８９  
最大像高に至る光束の主光線が光軸となす角度：５．３度
実施例３の撮影レンズは±５．３度が「テレセントリック性の許容範囲」である。
【００５４】
実施例３に関する縦収差図を図８に、横収差図を図９に示す。
【００５５】
「実施例４」
図１０に実施例４の撮影レンズのレンズ構成を示す。
【００５６】
ｆ＝８．２６、Ｆ＝３．０、Ｗ＝２２．８  
ｉ        R            Ｄ      j         Ｎ          ν  
O        ∞         600.000            
1(*)    -5.920        4.000     1       1.53046      55.8  
2(*)    -4.385        0.373  
3(絞り)   ∞          0.522  
4        3.587        3.284     2       1.45650      90.3   
5       -3.005        0.800     3       1.56732      42.8  
6        3.102        0.967  
7      -14.581        2.911     4       1.62041      60.3  
8       -4.087        0.505   
9(*)    28.925        2.000     5       1.53046      55.8  
10(*)    29.549        1.193  
11       ∞            1.000             1.51680      64.2  
12       ∞            0.200  
IMG      ∞            0.0                           。
【００５７】
「非球面」  
「第１面」
K=  -0.491500 ,
A =-0.757289E-03 , B = -0.115941E-03 , C =0.137651E-04 ,
D =-0.275961E-05 , E =-0.268001E-06 , F =0.684570E-07   
「第２面」  
K = -0.816640 ,
A =-0.242161E-04 , B =-0.761054E-04 , C = 0.409686E-06 ,
D =0.634827E-06 , E=0  F=0  
「第９面」
K =-200.000 ,
A =-0.352707E-02 , B =0.858878E-04 , C =-0.418877E-04 ,
D = 0.647028E-05 , E =-0.527553E-06 , F =0.252289E-07  
「第１０面」  
K =  18.845027 , 
A =-0.437270E-02 , B =-0.640049E-04 , C = -0.200931E-05 ,
D =-0.316626E-06 , E =0.984035E-08 , F =0.242456E-08                   。
【００５８】
「条件式のパラメータの値」
（１）  −０．１７1
（２）    １．００２
（３）  ９０．３
（４）  ４２．８
（５）    ２．１５０
（６）    ５．０７３
最大像高に至る光束の主光線が光軸となす角度：４．６度  
実施例４の撮影レンズは±４．６度が「テレセントリック性の許容範囲」である。
【００５９】
実施例４に関する縦収差図を図１１に、横収差図を図１３に示す。
【００６０】
各実施例とも性能良好であり、３μｍ以下程度の微細な画素ピッチを持つ撮像素子に好適に使用でき、且つ、小型・軽量に実施できる。
【図面の簡単な説明】
【００６１】
【図１】実施例１の撮影レンズのレンズ構成を示す図である。
【図２】実施例１に関する縦収差図である。
【図３】実施例１に関する横収差図である。
【図４】実施例２の撮影レンズのレンズ構成を示す図である。
【図５】実施例２に関する縦収差図である。
【図６】実施例２に関する横収差図である。
【図７】実施例３の撮影レンズのレンズ構成を示す図である。
【図８】実施例３に関する縦収差図である。
【図９】実施例３に関する横収差図である。
【図１０】実施例４の撮影レンズのレンズ構成を示す図である。
【図１１】実施例４に関する縦収差図である。
【図１２】実施例４に関する横収差図である。
【図１３】撮影装置の実施の１形態を説明するための図である。
【符号の説明】
【００６２】
L1    第1レンズ
L2    第2レンズ
L3    第3レンズ
L4    第４レンズ
L5    第５レンズ
CG    撮像素子のカバーガラス（防塵ガラス等）
【図１】
2008281760.tif 000003
【図２】
2008281760.tif 000004
【図３】
2008281760.tif 000005
【図４】
2008281760.tif 000006
【図５】
2008281760.tif 000007
【図６】
2008281760.tif 000008
【図７】
2008281760.tif 000009
【図８】
2008281760.tif 000010
【図９】
2008281760.tif 000011
【図１０】
2008281760.tif 000012
【図１１】
2008281760.tif 000013
【図１２】
2008281760.tif 000014
【図１３】
2008281760.tif 000015